(57)【要約】【課題】  遊技盤のレールの内側部に表示体構造物に入賞球受入口を設けて入賞機会を与え遊技者の興趣の増大を図る。【解決手段】  球誘導レール２の曲面に一致する曲面と遊戯球の当接面とが外壁部に形成されると共に飾り板体２１の開口２１ｃにランプカバーレンズ体２３を嵌合装着し、かつ背面にランプ基板４０を装着して表示体構造物２０を構成し、その外壁部に球誘導面２２ａと入賞球受入口３０を設けたことを特徴とするパチンコ遊技機の入賞ユニット。【選択図】    図２
2004255221.tif 000002
【特許請求の範囲】
【請求項１】
球誘導レールの曲面に一致する曲面と遊戯球の当接面とが外壁部に形成されると共に飾り板体の開口にランプカバーレンズ体を嵌合装着し、かつ背面にランプ基板を装着して表示体構造物を構成し、
その外壁部に球誘導面と入賞球受入口を設けたことを特徴とするパチンコ遊技機の入賞ユニット。
【請求項２】
前記表示体構造物の飾り板体の内側壁の側方に入賞球受入口を装着しうる側部板体を形成し、該側部板体に入賞球受入口取付け用凹面を設けて入賞球受入口を位置決め装着可能とした請求項１記載のパチンコ遊技機の入賞ユニット。
【請求項３】
前記表示体構造物の飾り板体の内側壁より側部板体の上面に入賞球受入口へ球を誘導しうる球誘導面を形成した請求項１又は２記載のパチンコ遊技機の入賞ユニット。
【請求項４】
ランプ基板に表示体構造物のランプカバーレンズ体に対応する一条のランプと入賞球受入口に対応するランプとを配列した請求項１記載のパチンコ遊技機の入賞ユニット。
【発明の詳細な説明】
【技術分野】
【０００１】
この発明はパチンコ遊技機等の遊技盤面のレールに沿って備えられる入賞ユニットに関する。
【背景技術】
【０００２】
従来のパチンコ遊技機において、遊戯盤をほぼ円形に仕切るレールの内側に表示ランプ、ランプ基板を収容するランプカバーレンズ体を覆設する表示体構造物を取付け、レールの内側側部を落下する遊技球を表示体構造物に当てることにより、遊技球を遊戯盤中央方向に向かわせ、入賞口等への入賞等を企図したものが提案されている。
【発明の開示】
【発明が解決しようとする課題】
【０００３】
しかし、従来の円弧状の表示構造物では、単に入賞時等に表示体を点灯、点滅させる役目をするだけにすぎず、レールの内側部に落下する遊技球は、盤面の遊技に参加することなく、表示体の円弧状内側壁に沿ってそのまま落下してアウト球となるので、遊技者の興趣を欠くものであった。
【０００４】
この発明は従来の課題を解決するようにしたもので、表示体構造物の構成を組み立てしやすくし、ＬＥＤ等表示ランプで照明する表示体構造物の外壁部を利用して球誘導面、入賞球受入口を設けてレールの内側部に落下する遊技球が入賞しうる機会を付与して従来はアウト球となっていた遊技球の一部を入賞しやすくし、遊技者の興趣を増大しうるパチンコ遊技機の入賞ユニットを提供することを目的とする。
【課題を解決するための手段】
【０００５】
この発明の請求項１のパチンコ遊技機の入賞ユニットは、球誘導レール２の曲面に一致する曲面と遊戯球の当接面とが外壁部に形成されると共に飾り板体２１の開口２１ｃにランプカバーレンズ体２３を嵌合装着し、かつ背面にランプ基板４０を装着して表示体構造物２０を構成し、その外壁部に球誘導面２２ａと入賞球受入口３０を設けたことを特徴とするものである。
【０００６】
請求項２の発明は、請求項１の表示体構造物２０の飾り板体２１の内側壁の側方に入賞球受入口を装着しうる側部板体２２を形成し、該側部板体２２に入賞球受入口取付け用凹面２７を設けて入賞球受入口３０を装着可能としたものである。
【０００７】
請求項３の発明は、請求項１又は２の表示体構造物２０の飾り板体２１の内側壁より側部板体２２の上面に入賞球受入口へ球を誘導しうる球誘導面２２ａを形成したものである。
【０００８】
請求項４の発明は、ランプ基板に表示体構造物のランプカバーレンズ体に対応する一条のランプと入賞球受入口に対応するランプとを配列したものである。
【０００９】
請求項１のパチンコ遊技機の入賞ユニットの構成によれば、表示体構造物２０は飾り板体２１の開口２１ｃにランプカバーレンズ体２３を嵌合装着し、かつ背面にランプ基板４０を装着するので、表示体構造物の組み立てが容易にでき、かつその外壁部に球誘導面２２ａと入賞球受入口３０を設けたので、従来はアウト球となっていた遊技球の一部を入賞しやすくし、入賞時に表示体の内部の表示ランプの点灯、点滅により表示できる。盤面の両側に流れた遊技球でも入賞の機会を提供でき、その際にその球を表示体の光で照明できるので、遊技者の興趣を増大することができる。
【００１０】
請求項２の構成によれば、表示体構造物２０の飾り板体２１の内側壁の側方の側部板体２２に入賞球受入口取付け用凹面２７を設けて入賞球受入口３０を装着可能としたので、入賞球受入口の位置決めが的確にでき、その背面に入賞球排出樋を簡単に装着できる。
【００１１】
請求項３の構成によれば、飾り板体２１の内側壁より側部板体２２の上面に球誘導面２２ａを設けたので、両側を転動する遊技球がこの球誘導面２２ａに当たって入賞球受入口へ誘導されやすく入賞する確率を多くすることができる。
【００１２】
請求項４の構成によれば、ランプ基板の一条のランプとそれとは離隔して備えたランプを表示体構造物のランプカバーレンズ体と入賞球受入口の下部のレンズ部に対応して配置でき、便利である。
【発明の効果】
【００１３】
この発明の請求項１のパチンコ遊技機の入賞球ユニットによれば、表示体構造物は飾り板体の開口にランプカバーレンズ体を嵌合装着し、かつ背面にランプ基板を装着するので、表示体構造物の組み立てが容易にでき、かつその外壁部に球誘導面と入賞球受入口を設けたので、従来はアウト球となっていた遊技球の一部を入賞しやすくし、入賞時に表示体の内部の表示ランプの点灯、点滅により表示できる。盤面の両側に流れた遊技球でも入賞の機会を提供でき、その際にその球を表示体の光で照明できるので、遊技者の興趣を増大することができる。
【００１４】
請求項２の発明によれば、表示体構造物の飾り板体の内側壁の側方の側部板体に入賞球受入口取付け用凹面を設けて入賞球受入口を装着可能としたので、入賞球受入口の位置決めが的確にでき、その背面に入賞球排出樋を簡単に装着できる。
【００１５】
請求項３の発明によれば、飾り板体の内側壁より側部板体の上面に球誘導面を設けたので、両側を転動する遊技球がこの球誘導面に当たって入賞球受入口へ誘導されやすく入賞する確率を多くすることができる。
【００１６】
請求項４の発明によれば、ランプ基板の一条のランプとそれとは離隔して備えたランプを表示体構造物のランプカバーレンズ体と入賞球受入口の下部のレンズ部に対応して配置でき、便利である。
【発明を実施するための最良の形態】
【００１７】
以下に、この発明の実施形態を図面に基づいて説明する。図１はこの発明の入賞ユニットを備えた遊技盤の正面図、図２はこの発明の入賞球ユニットの斜視図、図３は同正面図、図４は同背面図、図５は図３のＸ−Ｘ断面図、図６は表示体構造物、ランプカバーレンズ体、入賞球受入口、入賞球排出樋を外して示す斜視図、図７は表示ランプ基板の正面図、図８は基板カバー体の正面図である。
【００１８】
図１において、パチンコ遊技機の遊技盤を正面図により示したものである。遊技盤１には円弧状の打球誘導レール２として、外レール２ａが設けられ、かつその外レールの内側には球誘導通路を存して内側レール２ｂが設けられている。この打球誘導レール２に仕切られて、遊技盤の中央にはほぼ円形の遊技領域が設けられている。３は左落とし入賞口、右落とし入賞口、４は第一種始動口、５は第一種始動口（普通電動役物に係る入賞口）、６は大入賞口、７は特定領域、８は左ゲート、右ゲート、９はランプ風車、１０は風車、１１は普通図柄表示装置、１２は特別図柄表示装置、１３は左通過口入口、右通過口入口、１４は左通過口出口、右通過口出口、１５はアウト球口である。２０はこの発明の表示体構造物（左サイド飾り、右サイド飾り）で、左サイド飾り、右サイド飾りは左右対称に形成される。３０はその表示体構造物２０の内側壁に設けられた左袖入賞球受入口、右袖入賞球受入口である。
【００１９】
図２乃至図６において、この発明の表示体構造物（左サイド飾り、右サイド飾り）２０は、円弧状の合成樹脂製飾り板体２１の外壁部が球誘導レール２の曲面に一致する曲面２１ａと遊戯球の当接面（内側壁）２１ｂとされ、前面中央に円弧状開口２１ｃが形成され、該飾り板体２１の開口２１ｃに円弧状の合成樹脂製ランプカバーレンズ体２３が嵌合して装着され、かつランプカバーレンズ体２３の内部に表示ランプ４１、ランプ基板４０を背面側より臨ませ、入賞時等に点灯、点滅できる構造とされている。なお、遊技盤の遊技領域に打ち付ける釘は省略した。
【００２０】
すなわち、表示体構造物２０の構成を説明すると、表示体構造物を構成する円弧状飾り板体２１の前面中央に細長い円弧状開口２１ｃが透設され、その背面に該開口２１ｃを囲うように細長い箱状周壁２１ｄが形成され、その周壁の背面の数カ所に合成樹脂製ランプカバーレンズ体２３を受止める受止め片２１ｅが開口内に若干突出して設けられている。合成樹脂製ランプカバーレンズ体２３は前記開口２１ｃに合致する細長い円弧状の箱形とし、その前面に一定の間隔をおいて円形のレンズ部２３ａと凹凸面２３ｂが形成され、背面側は開口されていて背面に任意の間隔をおいて、前記周壁２１ｄに係脱可能な係止爪２３ｃが突出して形成されている。該係止爪２３ｃは先端の爪が板体２１の背面の周壁２１ｄの端面に係脱可能な長さとし、弾性をもたせる。２４は取付けボス部、２５は位置決め用突軸、２６は取付け孔である。
【００２１】
飾り板体２１にランプカバーレンズ体を取付ける際には、ランプカバーレンズ体２３を飾り板体２１の開口２１ｃに係止爪の弾性を利用して嵌合し、受止め片２１ｅで受止めるとともにランプカバーレンズ体２３の係止爪２３ｃを周壁２１ｄの端面に係合して結合するようにしてある。従って、飾り板体２１とランプカバーレンズ体２３の結合は確実にされる。なお、飾り板体２１の開口２１ｃへのランプカバーレンズ体２３の係止構造は前記のものに限られるものではない。実施形態では、表示体構造物の構成は板体２１にランプカバーレンズ体を嵌合する構成としたが、これに限られるものではない。
【００２２】
この発明はこのような表示体構造物において、構造物を構成する板体の内側壁に入賞球受入口３０を備えるために、前記合成樹脂製板体２１の内側壁２１ｂの側方に適宜形状の側部板体２２を一体形成し、該側部板体２２に遊技球を入賞させる入賞球受入口３０を装着することを特徴とするものである。
【００２３】
実施形態では、側部板体２２は飾り板体２１の内側壁２１ｂの下部側方にほぼ四角形状に一体に形成され、その上面を球を入賞球受入口３０に誘導しうる傾斜状の球誘導面２２ａとし、その内端面は飾り板体２１の円弧に合わせ、かつ下方の大入賞口６の左右の落とし入賞口への遊技球の転入の邪魔にならないようにえぐられた形状とされている。この側部板体２２には前面に後述の入賞球受入口３０の取付け基体３１を収容しうる逆三角形状凹面２７が形成され、その凹面２７の中央に入賞球受入口３０の球受け部を挿入できる長方形孔と下部に表示ランプを臨ませる円形孔とを連続した形状の貫通孔２８が設けられ、その長方形孔の両側に入賞球受入口３０の背面の取付けボス部３４を嵌合しうる嵌合孔２９が設けられている。側部板体２２に凹面２７を設けたので、入賞球受入口３０の基体３１を位置決めして正確かつ簡単に装着することができる。なお、球誘導面は図のように円弧の段状とすることもできる。また、球誘導面２２ａは傾斜面としたが、これに限られるものではなく、例えば前記内側壁から入賞球受入口に向けて円滑な円弧面としてもよい。
【００２４】
入賞球受入口３０は前記凹面に合致するように逆三角形状とした合成樹脂製基体３１の前面に断面Ｕ型球受け部３２が形成され、その下部に連続して表示ランプ収容部３３が形成され、その球受け部の前面両側と下部には凹凸状レンズ面が形成され、基体３１の背面両側に取付けボス部３４が形成されている。３５は前記入賞球受入口３０とは別体とした合成樹脂製入賞球排出樋で、前記球受け部３２の断面と合致するＵ型とし、その両側に前記取付けボス部３４に取付ける取付け部３６が設けられ、かつその一側上部には係止片３７が形成されている。なお、入賞球受入口３０の基体３１の形状は上記のものに限られるものではなく、適宜形状とすることは自由にでき、側部板体２２の凹面の形状も当然それに合わせた形状にするのが好ましい。
【００２５】
入賞球受入口３０を側部板体２２に取り付ける構成について説明すると、側部板体２２の前面の逆三角形の凹面２７に入賞球受入口３０の基体３１が嵌合され、貫通孔２８を通じてＵ型球受け部３２の後端が挿通され、その側部板体２２の背面において入賞球排出樋３５の両側の取付け部３６が側部板体２２の嵌合孔２９に嵌合した取付けボス部３４にビスで止められて入賞球受入口が構成される。なお、３８は連動てこ（入賞感知機構）、３９は連動用針金であり、前記入賞球受入口３０の樋３５の下方に臨ませ、樋より落下する球で連動てこ３８を作用して入賞感知し球払出機構（図示せず）により指定数の入賞球が払出される。
【００２６】
図７において、４０はランプ基板で、該ランプ基板には誘導レールの内面に隣接して発光可能にされるＬＥＤ等表示ランプ４１が前記ランプカバーレンズ体２３に設けたレンズ部２３ａに対応して一条に列設され、かつそれとは離隔して１個のＬＥＤ等表示ランプ４１が入賞球受入口３０の下部の表示ランプ収容部３３に対応する位置に備えられている。４２は配線を接続するコネクタ、４３は取付け孔、４４は位置決め孔である。図８において、４５は合成樹脂製基板カバー体で、ランプ基板４０とほぼ同じ形状で、ランプ基板４０を当てることができるように設けられる。カバー体４５は周囲に縁を形成し、その正面に基板の背面に僅かに突出する表示ランプの基端を収容する凹部４６、取付け孔４７、位置決め孔４８が形成されている。而して、この表示ランプ４１を備えたランプ基板４０と基板カバー体４５を前記表示体構造物に装着するには、ランプ基板４０に基板カバー体４５を当て、そのランプ基板４０のランプカバーレンズ体照明用ＬＥＤ４１を前記板体２１のランプカバーレンズ体２３の背面に臨ませ、かつ入賞球受入口照明用ＬＥＤ４１を入賞球受入口３０の下部の表示ランプ収容部３３に臨ませ、ランプ基板と基板カバー体の位置決め孔４４と４８に板体２１の背面の位置決め軸部２５を嵌合するとともに取付け孔４３と４７を板体２１の背面の取付け筒部２４に合致させて基板カバー体４５の背面よりビス止めして装着する。
【００２７】
実施形態において、大入賞口６の板体にも前記と同様に円弧状の開口が設けられ、その開口にランプカバーレンズ体が同様に嵌合装着されて、前記表示体構造物のデザインと統一が図られている。
【００２８】
以上の実施形態を示したが、この発明はこの形態に限定されるものではなく、この発明の要旨を逸脱しない範囲で、様々な形態を実施しうるものである。上記実施形態では表示体構造物の内側壁に内側に突出して形成した側部板体には球受け部を設けた入賞球受入口を備えたが、これに限られるものではなく、例えば、開閉翼片を備えた所謂チュウリップ型入賞球受入口、或いは入賞球を検出するセンサーを上部に備えた入賞球受入口、そのほかゲートを備えることもできる。
【図面の簡単な説明】
【００２９】
【図１】この発明の入賞ユニットを備えた遊技盤の正面図である。
【図２】この発明の入賞球ユニットの斜視図である。
【図３】同正面図である。
【図４】同背面図である。
【図５】図３のＸ−Ｘ断面図である。
【図６】飾り板体、ランプカバーレンズ体、入賞球受入口、入賞球排出樋を外して示す斜視図である。
【図７】表示ランプ基板の正面図である。
【図８】基板カバー体の正面図である。
【符号の説明】
【００３０】
２０  表示体構造物
２１  飾り板体
２２  側部板体
２２ａ  球誘導面
２３  ランプカバーレンズ体
２７  凹面
３０  入賞球受入口
３１  基体
４０  ランプ基板
４１  表示ランプ
４５  基板カバー体
【図１】
2004255221.tif 000003
【図２】
2004255221.tif 000004
【図３】
2004255221.tif 000005
【図４】
2004255221.tif 000006
【図５】
2004255221.tif 000007
【図６】
2004255221.tif 000008
【図７】
2004255221.tif 000009
【図８】
2004255221.tif 000010